(57)【要約】【課題】エネルギー効率良く発光し、光の利用効率が良いコンパクトな光源装置を提供すること、および当該光源装置を備えたプロジェクタを提供すること。【解決手段】光源装置３０は、マイクロ波を射出するマイクロ波発生部１２と、マイクロ波が照射されると発光する発光体１と、マイクロ波を透過し発光体１が放射する光を集光するリフレクタ３と、マイクロ波を反射して発光体１に集束させる反射器４とを、含んで構成されている。反射器４は、発光体１を介して、マイクロ波発生部１２と相対する側のリフレクタ３の内部に設けられていることから、マイクロ波を発光体１に照射するための構成と、発光体１が放射する光を集光するための光学系の構成とが、ランプユニット１３として一体に構成されている。また、反射器４は、マイクロ波発生部１２が発生したマイクロ波を効率良く発光体１に集束させる。【選択図】図５
2007193953.tif 000002
【特許請求の範囲】
【請求項１】
マイクロ波を射出するマイクロ波発生部と、
前記マイクロ波によって発光する発光物質が封入された発光体と、
前記マイクロ波を透過する材質により構成され、前記発光体が放射する光を集束し略一定方向に向かう光束として射出するリフレクタと、
前記リフレクタに少なくとも一部の構成が含まれるとともに、前記マイクロ波発生部が発生した前記マイクロ波を反射し前記発光体に集束させる反射器と、を備えることを特徴とする光源装置。
【請求項２】
前記マイクロ波発生部は、
前記マイクロ波を発振する固体高周波発振器と、
前記固体高周波発振器が発生した前記マイクロ波を増幅する増幅部と、
前記アンテナが放射する前記マイクロ波を略平面波として射出するホーンアンテナと、を含むことを特徴とする請求項１に記載の光源装置。
【請求項３】
球状をなすとともに棒状の支柱に接続された前記発光体は、椀状をなした前記リフレクタ内面の底部に、他端を固定された前記支柱により支持され、
前記反射器は、前記リフレクタの外側に設けられた前記ホーンアンテナと、前記発光体を介して相対する側に設けられていることを特徴とする請求項２に記載の光源装置。
【請求項４】
前記マイクロ波発生部は、前記増幅部の後段に設けられ、前記ホーンアンテナから放射されたマイクロ波の一部が前記反射器によって反射し前記ホーンアンテナに再入力する反射マイクロ波を遮断するための安全器を、さらに備えることを特徴とする請求項２または３に記載の光源装置。
【請求項５】
前記固体高周波発振器は、弾性表面波共振子を含んだ弾性表面波発振器であり、前記弾性表面波共振子は、ダイヤモンド層またはダイヤモンド状炭素膜層上に積層された薄膜圧電体層と、前記薄膜圧電体層上に形成されたＩＤＴ電極とを、備えることを特徴とする請求項２〜４のいずれか一項に記載の光源装置。
【請求項６】
球状をなした前記発光体の内径は、φ５ｍｍ以下であることを特徴とする請求項１〜５のいずれか一項に記載の光源装置。
【請求項７】
前記発光体の原料は、石英ガラス、または透明サファイア、若しくは透光性セラミックのいずれかであることを特徴とする請求項１〜６のいずれか一項に記載の光源装置。
【請求項８】
前記発光体の支柱は、可視光線を透過する材質により構成されるか、または当該支柱の側面が反射面となっていることを特徴とする請求項３〜７のいずれか一項に記載の光源装置。
【請求項９】
前記反射器は、一辺が前記マイクロ波における波長の１／１０以下の長さに設けられた複数の開口部を有する網状をなした金属成分を含む材料により構成され、楕円または放物線からなる曲面形状を含んでいることを特徴とする請求項１〜８のいずれか一項に記載の光源装置。
【請求項１０】
椀状をなした前記リフレクタの内面には、前記マイクロ波を透過し、可視光線を反射する誘電体多層膜が設けられていることを特徴とする請求項１〜９のいずれか一項に記載の光源装置。
【請求項１１】
前記リフレクタの開口面に設けられた一辺が前記マイクロ波における波長の１／１０以下の長さに設けられた複数の開口部を有する金属網と、
前記マイクロ波を反射する材質により構成され、前記リフレクタにおける前記反射器の反対側の面を覆うように設けられた前記リフレクタを支持するランプガイドとを、さらに備えることを特徴とする請求項１〜１０のいずれか一項に記載の光源装置。
【請求項１２】
請求項１〜１１のいずれか一項に記載の光源装置と、
前記光源装置が射出する光を画像信号に応じた画像を表す変調光に変調する光変調素子と、
前記変調光を拡大した投写光を射出する投写部とを、備えることを特徴とするプロジェクタ。
【発明の詳細な説明】
【技術分野】
【０００１】
本発明は、マイクロ波を用いた光源装置および当該光源装置を備えたプロジェクタに関する。
【背景技術】
【０００２】
スクリーンに画像を投写するプロジェクタは、会議におけるプレゼンテーションや、家庭におけるホームシアター用などに利用されている。また、近年、プレゼンテーション用途などにおいては、手軽に持ち歩ける軽量でコンパクトな携帯型のプロジェクタが多くなってきている。
このようなプロジェクタには、大きなスクリーンに明るい画像を写し出すためにハロゲンランプ、メタルハライドランプ、および高圧水銀ランプなどの高輝度が得られるランプを光源とする光源装置が用いられていた。しかし、ハロゲンランプにはフィラメントが、またメタルハライドランプや、高圧水銀ランプには放電用の電極が、それぞれ備えられているため、経時変化によるフィラメントの断線や、電極の消耗は避けられず、一定の寿命があるという問題があった。
【０００３】
図８（ａ）は、従来の光源装置の概略構成を示す図である。図８（ｂ）は、異なる態様の従来の光源装置の概略構成を示す図である。
このような従来の光源装置の問題を解決するために、特許文献１や特許文献２のように電極のない無電極ランプ（以下、「発光体」ともいう）を光源に用いた光源装置が提案されている。
図８（ａ）に示される特許文献１の光源装置２００は、マグネトロン２１０が発するマイクロ波を導波管２１１により導き、導波管２１１の開口部２１２から発光物質が封入された球状の無電極ランプである発光体２０１にマイクロ波を照射することにより当該ランプを発光させる。また、発光体２０１が放射する光のうち、リフレクタ２０５に向かう光は、集光され当該リフレクタの開口部２０６から射出される。また、リフレクタ２０５の内部には、導波管２１１の開口部から発光体２０１を囲う形で、マイクロ波が外部に漏れることを防止するＲＦスクリーン２１３が設けられていた。
図８（ｂ）に示される特許文献２の光源装置２２０は、マグネトロン２１０が発するマイクロ波を共振器２１４内で共振させ、当該共振器の開口部２０７近傍に設けられた発光体２０１に照射することにより当該発光体を発光させる。また、発光体２０１が発する光のうち、共振器２１４の開口部２０７から放射される光Ｌが活用されていた。
【０００４】
図９は、マグネトロンが発生するマイクロ波の周波数特性を示す図である。
また、マグネトロン２１０が発生するマイクロ波の周波数分布は、所期のマイクロ波である略２．４５ＧＨｚを中心とした分布となっているが、約２．２５〜２．６５ＧＨｚ帯域幅の多くのノイズ成分を含んでいた。また、この周波数特性は、出力マイクロ波電力を変化させると、特性が変化してしまうことが知られていた。
【０００５】
【特許文献１】特開平９−８２１１２号公報
【特許文献２】特開２００１−１５５８８２号公報
【発明の開示】
【発明が解決しようとする課題】
【０００６】
しかしながら、従来の光源装置２００において、発光体２０１が放射する光のうち、導波管２１１の開口部２１２へ向かう光は、導波管２１１内部に吸収されてしまい活用されていなかった。また、光源装置２２０においても、共振器２１４内部に向かう光は、同様に活用されていなかった。さらに、共振器２１４の開口部２０７から発せられる光は、開口部２０７から三方に放射されるため、有効に活用される光Ｌは、発光体２０１が発する光のうち、極わずかなものであった。
このように、従来の光源装置２００および光源装置２２０では、発光体２０１が発生する光を有効に活用することが困難であるという問題点があった。
また、光源装置２００において、発光体２０１に照射されるマイクロ波は、何ら集束手段が設けられていない導波管２１１の開口部２１２からのみの一方向（１回）の照射であるため、放射されるマイクロ波のエネルギー量のうち、光に変換されるエネルギー量は、極僅かであると推測される。同様に、光源装置２２０においても、マイクロ波は、共振器２１４の開口部２０７へ向かう一方向（１回）のみの照射であるため、照射されるマイクロ波のエネルギー量のうち、光に変換されるエネルギー量は、極僅かであると推測される。このように、従来の光源装置２００および光源装置２２０では、マイクロ波のエネルギーを効率良く光に変換することが困難であるという問題点があった。
【０００７】
また、光源装置２００および光源装置２２０ともに、マイクロ波をマグネトロン２１０により発生させているが、真空管の一種であるマグネトロンは、自体が大型であり、また、作動するために数ｋＶ単位の高電圧を必要とするため、電源回路が大きくなってしまうという問題を有していた。すなわち、携帯型のプロジェクタなどに搭載する場合など、小型軽量の要望に対応することが困難であった。
【０００８】
上記課題を解決するために、本発明では、エネルギー効率良く発光し、光の利用効率が良いコンパクトな光源装置を提供すること、および当該光源装置を備えたプロジェクタを提供することを目的とする。
【課題を解決するための手段】
【０００９】
上述した目的を達成するために、本発明の光源装置は、マイクロ波を射出するマイクロ波発生部と、マイクロ波によって発光する発光物質が封入された発光体と、マイクロ波を透過する材質により構成され、発光体が放射する光を集束し略一定方向に向かう光束として射出するリフレクタと、リフレクタに少なくとも一部の構成が含まれるとともに、マイクロ波発生部が発生したマイクロ波を反射し発光体に集束させる反射器と、を備えることを特徴とする。
【００１０】
この構成によれば、光源装置は、マイクロ波を透過する材質により構成され、発光体が放射する光を集束し略一定方向に向かう光束として射出するリフレクタを備えていることから、マイクロ波を通すための開口部２１２が必要であった従来の光源装置２００と異なり、光の利用効率を下げてしまう開口部を必要としない。また、何ら放射する光の集束手段を持たなかった従来の光源装置２２０と異なり、リフレクタを備えている。
よって、本発明の光源装置は、光の利用効率が良い。
また、光源装置は、マイクロ波発生部が発生したマイクロ波を反射し発光体に集束させる反射器を備えていることから、マイクロ波を発光体に集束させる手段を有しなかった従来の光源装置と異なり、マイクロ波を効率良く発光体に集束させる。
よって、本発明の光源装置は、マイクロ波をエネルギー効率良く光に変換することができる。
さらに反射器は、一部の構成がリフレクタに含まれていることから、マイクロ波を発光体に照射するための構成と、発光体が放射する光を集光するための光学系の構成とをコンパクトに構成することができる。
従って、エネルギー効率良く発光し、光の利用効率が良いコンパクトな光源装置を提供することができる。
【００１１】
本発明に係わる光源装置によれば、マイクロ波発生部は、マイクロ波を発振する固体高周波発振器と、固体高周波発振器が発生したマイクロ波を増幅する増幅部と、アンテナが放射するマイクロ波を略平面波として射出するホーンアンテナと、を含むことが好ましい。
【００１２】
この構成によれば、マイクロ波発生部は、固体高周波発振器が発振したマイクロ波を、増幅部で増幅し、ホーンアンテナから略平面波として射出する。
よって、大型のマグネトロンを用いていた従来の光源装置と異なり、固体高周波発振器によるコンパクトな構成により、マイクロ波を発生させることができる。さらに指向性の良いホーンアンテナにより、マイクロ波を確実に発光体へ照射することができる。
従って、エネルギー効率良く発光するコンパクトな光源装置を提供することができる。
【００１３】
本発明に係る光源装置によれば、球状をなすとともに棒状の支柱に接続された発光体は、椀状をなしたリフレクタ内面の底部に、他端を固定された支柱により支持され、反射器は、リフレクタの外側に設けられたホーンアンテナと、発光体を介して相対する側に設けられていることが好ましい。
【００１４】
この構成によれば、反射器は、リフレクタの外側に設けられたホーンアンテナと、発光体を介して相対する側に設けられていることから、ホーンアンテナから射出される略平面波のマイクロ波は、発光体を照射した後、反射器で反射および集束されて、再度発光体に照射される。
よって、発光体へのマイクロ波の照射が一方向（１回）のみであった従来の光源装置と異なり、本発明の光源装置では、１回のマイクロ波の射出により、往復２方向（２回）の照射がなされるため、マイクロ波のエネルギーを効率良く光に変換することができる。
従って、エネルギー効率良く発光する光源装置を提供することができる。
【００１５】
本発明に係わる光源装置によれば、マイクロ波発生部は、増幅部の後段に設けられ、ホーンアンテナから放射されたマイクロ波の一部が反射器によって反射しホーンアンテナに再入力する反射マイクロ波を遮断するための安全器を、さらに備えることが好ましい。
【００１６】
この構成によれば、マイクロ波発生部には、増幅部の後段に設けられ、反射マイクロ波を遮断するための安全器がさらに含まれることから、反射マイクロ波が増幅部に達することを防止することができる。
よって、増幅部およびその前段の固体高周波発振器を反射マイクロ波から守ることができる。
従って、動作が安定した光源装置を提供することができる。
【００１７】
本発明に係わる光源装置によれば、固体高周波発振器は、弾性表面波共振子を含んだ弾性表面波発振器であり、弾性表面波共振子は、ダイヤモンド層またはダイヤモンド状炭素膜層上に積層された薄膜圧電体層と、薄膜圧電体層上に形成されたＩＤＴ電極とを、備えることが好ましい。
【００１８】
弾性表面波（以下、ＳＡＷともいう：Surface Acoustic Wave）共振子の弾性体としてダイヤモンドを用いた場合、弾性表面波は、１００００ｍ／ｓを超える非常に早い伝播速度となる。
この特性により、ダイヤモンドＳＡＷ共振子を備えたダイヤモンドＳＡＷ発振器は、ＰＬＬ（Phase Locked Loop）などを用いた逓倍回路を必要とせず、マイクロ波を直接発振することができる。また、ダイヤモンドＳＡＷ共振子の櫛形電極であるＩＤＴ（Inter Digital Transducer）電極の電極幅を、例えば、水晶や、セラミックスなどの他の弾性体に比べて、大きくすることが可能なため、優れた耐電力特性、および温度変化に対する周波数変動が少ないという特徴を有している。
さらに、ダイヤモンドＳＡＷ発振器は、予熱を必要とせず、電力が印加されると略リアルタイムに所期の周波数を直接発振し、また、その周波数特性は先鋭な特性を示し、周波数特性の変化が少ないという特徴を有している。
よって、多くのノイズ成分を含んでいた従来の光源装置と異なり、本発明の光源装置は、所期のマイクロ波をエネルギー効率良く発生させることができる。
この構成によれば、固体高周波発振器は、ダイヤモンドＳＡＷ共振子を含んだダイヤモンドＳＡＷ発振器であることから、前述したダイヤモンドＳＡＷ共振子、およびダイヤモンドＳＡＷ発振器が有する多様な効果を奏することができる。
従って、エネルギー効率良く、素早く発光する光源装置を提供することができる。
【００１９】
本発明に係る光源装置によれば、球状をなした発光体の内径は、φ５ｍｍ以下であることが好ましい。
【００２０】
この構成によれば、発光体の内径は、φ５ｍｍ以下であることから、発光体は、放射する光を効率的に扱うことが可能な点光源とみなすことができる。
よって、光の利用効率を高めるリフレクタなどの光学系をシンプルかつ小型に構成することができる。
従って、光の利用効率が良い光源装置を提供することができる。
【００２１】
本発明に係る光源装置によれば、発光体の原料は、石英ガラス、または透明サファイア、若しくは透光性セラミックのいずれかであることが好ましい。
【００２２】
この構成によれば、発光体の原料は、光透過性および耐熱性に優れた特性を持つ石英ガラス、または透明サファイア、若しくは透光性セラミックのいずれかであることから、発光物質が発する光を効率良く放射する。
従って、光の利用効率が良い光源装置を提供することができる。
【００２３】
本発明に係る光源装置によれば、発光体の支柱は、可視光線を透過する材質により構成されるか、または当該支柱の側面が反射面となっていることが好ましい。
【００２４】
この構成によれば、発光体から放射された光のうち、支柱に向かった光は、支柱を透過するか、または支柱の反射面により反射された後、リフレクタ内面にて反射され、集光される。
よって、発光体が発する光を無駄なく利用することができる。
従って、光の利用効率が良い光源装置を提供することができる。
【００２５】
本発明に係る光源装置によれば、反射器は、一辺がマイクロ波における波長の１／１０以下の長さに設けられた複数の開口部を有する網状をなした金属成分を含む材料により構成され、楕円または放物線からなる曲面形状を含んでいることが好ましい。
【００２６】
この構成によれば、反射器は、一辺がマイクロ波における波長の１／１０以下の長さに設けられた複数の網目状の開口部を有し、楕円または放物線からなる曲面形状を含んで構成されていることから、反射器は、マイクロ波の波長よりも十分に短い金属成分のメッシュにより確実にマイクロ波を反射するとともに、曲面形状による集束作用により、マイクロ波を発光体に集束させる。
よって、マイクロ波を効率良く発光体に照射することができる。
従って、エネルギー効率良く発光する光源装置を提供することができる。
【００２７】
本発明に係る光源装置によれば、椀状をなしたリフレクタの内面には、マイクロ波を透過し、可視光線を反射する誘電体多層膜が設けられていることが好ましい。
【００２８】
この構成によれば、リフレクタの内面には、マイクロ波を透過し、可視光線を反射する誘電体多層膜が設けられていることから、リフレクタは、発光体に照射されるマイクロ波発生部からのマイクロ波、および反射器により反射されたマイクロ波を妨げない。
よって、マイクロ波を効率良く発光体に照射することができる。
従って、エネルギー効率良く発光する光源装置を提供することができる。
【００２９】
本発明に係わる光源装置は、リフレクタの開口面に設けられた一辺がマイクロ波における波長の１／１０以下の長さに設けられた複数の開口部を有する金属網と、マイクロ波を反射する材質により構成され、リフレクタにおける反射器の反対側の面を覆うように設けられたリフレクタを支持するランプガイドとを、さらに備えることが好ましい。
【００３０】
この構成によれば、リフレクタの開口面には金属網が設けられ、リフレクタにおける前記反射器の反対側の面にはマイクロ波を反射する材質により構成されたランプガイドが設けられていることから、マイクロ波は、反射器と金属網とランプガイドとにより構成されたエリア内で閉塞される。
よって、光源装置は、マイクロ波を外部に漏らすことなく、エネルギー効率良く発光する。さらにマイクロ波が漏れないことから、ＩＳＭ帯で使用されているBluetooth（登録商標）、ZigBee（登録商標）、Home RF、WLAN等の無線通信機器や医療機器などに対する悪影響を抑制することができる。
従って、外部電子機器に影響を与えず、エネルギー効率の良い光源装置を提供することができる。
【００３１】
上述した目的を達成するために、本発明のプロジェクタは、前記記載の光源装置と、光源装置が射出する光を画像信号に応じた画像を表す変調光に変調する光変調素子と、変調光を拡大した投写光を射出する投写部とを、備えることを特徴とする。
【００３２】
この構成によれば、プロジェクタは、エネルギー効率良く発光し光の利用効率が良い光源装置と、光変調素子と、投写部とを、備えていることから、明るい画像を投写する。
従って、光の利用効率が良く、明るい画像を投写するプロジェクタを提供することができる。
【発明を実施するための最良の形態】
【００３３】
以下、本発明の実施形態を図面に基づいて説明する。
【００３４】
（実施形態）
《プロジェクタの概要》
図１は、本発明の実施形態におけるプロジェクタの概略構成図である。
プロジェクタ１００は、光源装置３０が放射した光を、赤色光、緑色光、青色光の光３原色成分に分離し、色光ごとに光変調素子としての各色光用の液晶ライトバルブ８８Ｒ，８８Ｇ，８８Ｂにより映像信号に応じて変調し、再度合成したフルカラーの変調光を投写レンズ５２によりスクリーンＳＣに拡大投写する、いわゆる「液晶３板式プロジェクタ」である。なお、液晶ライトバルブ８８Ｒ，８８Ｇ，８８Ｂは、それぞれが赤色光、緑色光、青色光用として設けられ、光学ユニット５０の構成に含まれている。
光源装置３０は、無電極ランプである発光体１を光源としている。発光体１は、内部に発光物質が充填されており、マイクロ波発生部１２のホーンアンテナ２から射出されるマイクロ波により発光物質が励起され、プラズマ発光により発光する。ホーンアンテナ２から放射されるマイクロ波は、固体高周波発振器としての高周波発振器１０にて生成されている。なお、高周波発振器１０は、マイクロ波発生部１２の構成に含まれている。
【００３５】
《高周波発振器の概要》
図２は、高周波発振器の概略構成を示すブロック図である。図３（ａ）はダイヤモンドＳＡＷ共振子の概略平面図、図３（ｂ）はダイヤモンドＳＡＷ共振子の概略断面図である。
ここでは、本発明の特徴の一つであるマイクロ波発生部１２の高周波発振器１０について、図２、および図３（ａ），（ｂ）を用いて詳しく説明する。
高周波発振器１０は、弾性表面波（以下、ＳＡＷともいう：Surface Acoustic Wave）共振子を含んだ弾性表面波発振器であり、弾性表面波が伝わる弾性体にダイヤモンド単結晶層を用いたＳＡＷ共振子を用いている。
【００３６】
高周波発振器１０は、弾性表面波共振子７と、増幅器８と、等分配器９などを含んで構成されている。
弾性表面波共振子７は、ダイヤモンドＳＡＷ共振子であり、具体的な構成は、図３（ａ），（ｂ）に示されている。
図３（ｂ）に示されるように、弾性表面波共振子７は、基材である珪素基板７２をベースとして構成され、上面にダイヤモンド単結晶層７３が積層されている。
さらにダイヤモンド単結晶層７３の上には、酸化亜鉛（ＺｎＯ）薄膜などの薄膜圧電体層７４が積層されている。
さらに薄膜圧電体層７４の上には、弾性表面波を励振するＩＤＴ（Inter Digital Transducer）電極を含む電極７５が設けられている。
さらに電極７５の上には、酸化珪素膜７６が積層されている。酸化珪素膜７６における動作周波数の温度依存性は、ダイヤモンド単結晶層７３、薄膜圧電体層７４、および電極７５と反対の特性を示すことから、最上面に酸化珪素膜７６を積層することにより、温度特性を改善することができる。
なお、ダイヤモンド単結晶層７３は、気相合成法により形成されることが好ましい。また、多結晶ダイヤモンドに近い弾性定数を持つ硬質炭素膜を用いても良い。また、薄膜圧電体層７４は、スパッタ法や気相合成法などにより形成したＡＩＮ、Ｐｂ（Ｚｒ，Ｔｉ）Ｏ2等の薄膜圧電体層であっても良い。
【００３７】
電極７５は、図３（ａ）に示すように、互いにかみ合うように配置された１組の櫛形電極であるＩＤＴ電極７５ａ，７５ｂと、当該ＩＤＴ電極を挟み込んで両サイドに設けられた弾性表面波を反射する反射器電極７５ｃとから構成されている。
このような弾性表面波共振子７は、ＩＤＴ電極７５ａに電気信号が入力されるとダイヤモンド単結晶層７３を含む基材上に弾性表面波を励起し、この弾性表面波を反射器電極７５ｃ間に閉じ込める。閉じ込められた弾性表面波は反射器電極７５ｃ間で多重反射されるため、反射器電極７５ｃ間に定在波が生じる。
そして弾性表面波共振子７は、弾性表面波がＩＤＴ電極７５ｂに到達すると、弾性表面波の周波数に応じた周波数（マイクロ波）の電気信号を出力する。
【００３８】
図２に戻る。
増幅器８は、弾性表面波共振子７の後段に設けられ、弾性表面波共振子７が発振するマイクロ波を所定の電力を持つマイクロ波に増幅する。
等分配器９は、増幅器８から出力されるマイクロ波電力を、外部と弾性表面波共振子７とに、等配分する。
弾性表面波共振子７と増幅器８と等分配器９とは、一定の特性インピーダンス、例えば、５０ｏｈｍに全て整合接続されており、１つの帰還発振回路である高周波発振器１０を構成している。
弾性表面波共振子７は、弾性体としてダイヤモンドを用いているため、発生する弾性表面波は、１００００ｍ／ｓを超える非常に早い伝播速度となる。
この特性により、高周波発振器１０は、ＰＬＬ（Phase Locked Loop）などを用いた逓倍回路を必要とせず、マイクロ波を直接発振することができる。また、弾性表面波共振子７のＩＤＴ電極７５ａ，７５ｂの電極幅を、例えば、水晶や、セラミックスなどの他の弾性体に比べて、大きくすることが可能なため、優れた耐電力特性、および温度変化に対する周波数変動が少ないという特徴を有している。
【００３９】
図４は、高周波発振器の出力周波数特性の一例を示す図である。
図４に示されるように、高周波発振器１０の出力周波数特性は、所期の周波数としての２．４５ＧＨｚを中心とした先鋭な特性を示している。また、出力するマイクロ波電力が変化しても、周波数特性の変化が少ないという特徴を有している。
さらに、高周波発振器１０は、予熱を必要とせず、電力が印加されると略リアルタイムに所期の周波数を直接発振し、その周波数特性は、マイクロ波電力を増減しても変化せず、位相ノイズが殆ど発生しないという特徴を有している。
【００４０】
《プロジェクタの概略構成》
図１に戻る。
ここでは、プロジェクタ１００の概略構成について説明する。
プロジェクタ１００は、光源装置３０、光学ユニット５０、投写レンズ５２、制御部５３、画像信号処理部５４、液晶パネル駆動部５５、記憶部５６、操作部５７、リモコン５８、操作受付け部５９、ファン駆動部６０、温度検出部６１、電源部６２などから構成されている。
【００４１】
光源装置３０は、マイクロ波発生部１２と、ランプユニット１３などから構成されている。
マイクロ波発生部１２は、前述したホーンアンテナ２、高周波発振器１０に加えて、増幅部１１、安全器１４などを含んで構成されている。
増幅部１１は、高周波発振器１０の後段に設けられ、当該発振器から出力されるマイクロ波電力を増幅する。
安全器１４は、アイソレータであり、増幅部１１の後段に設けられている。安全器１４は、ホーンアンテナ２から射出されたマイクロ波の一部がランプユニット１３内の反射器４などにより反射し、ホーンアンテナ２に再入力する反射マイクロ波を内蔵する抵抗体により熱として消費する。
ランプユニット１３は、前述した発光体１に加えて、マイクロ波を反射して発光体１に集束させる反射器４や、発光体１が発する光を集光して光学ユニット５０方向に射出するリフレクタ３、当該リフレクタを支持するランプ枠１６などを含んで構成されている。なお、ランプユニット１３の詳細については、後述する。
【００４２】
光学ユニット５０は、発光体１から射出される光を輝度分布の安定した光に変換するインテグレータ照明光学系と、輝度分布の安定した光を光の３原色である赤色、緑色、青色の各色光成分に分離して各色光用の液晶ライトバルブ８８Ｒ，８８Ｇ，８８Ｂに供給する分離光学系と、当該液晶ライトバルブにて色光ごとに映像信号に応じて変調された各色光を、再度合成してフルカラーの変調光を生成する合成光学系などを含んで構成されている。なお、光学ユニット５０の詳細については、後述する。
投写部としての投写レンズ５２は、ズームレンズを含んで構成され、光学ユニット５０から射出されるフルカラーの変調光を拡大してスクリーンＳＣにフルカラー画像を投写する。
制御部５３は、ＣＰＵ（Central Processing Unit）であり、光源装置３０を含む各部とバスラインＢｕｓを介して信号のやり取りを行い、プロジェクタ１００を制御する。
【００４３】
画像信号処理部５４には、パーソナルコンピュータなどの外部の画像信号供給装置３５０から入力される画像信号をアナログ信号からデジタル信号に変換する画像コンバータや、スケーラおよびフレームメモリ（いずれも図示せず）などが含まれている。
画像信号処理部５４は、入力されるアナログＲＧＢ信号や、コンポーネント信号などのアナログ画像信号を画像コンバータによりＡＤ変換した後、スケーリングなどの画像処理を施す。
画像信号処理部５４は、画像信号により表される画像を当該映像信号の持つ解像度でＲＧＢの色光ごとにフレームメモリに書き込み、液晶ライトバルブ８８Ｒ，８８Ｇ，８８Ｂにて表示可能な解像度に変換して読み出すことにより、当該液晶ライトバルブに適した画像信号を生成する。また、スクリーンＳＣに投写された有効画像の形状を矩形に近づけるための台形補正処理も、スケーリングと合せて行われる。
液晶パネル駆動部５５は、液晶パネルドライバであり、画像処理が施された画像信号と駆動電圧などを液晶ライトバルブ８８Ｒ，８８Ｇ，８８Ｂに供給し、当該液晶ライトバルブを駆動する。
【００４４】
記憶部５６は、例えば、マスクＲＯＭや、フラッシュメモリ、ＦｅＲＡＭなどの不揮発性のメモリにより構成されている。記憶部５６には、光源装置３０の点灯動作を含むプロジェクタ１００を起動させるための順序と内容を規定した起動プログラムなどの当該プロジェクタの動作を制御するための様々なプログラムおよび付随するデータが記憶されている。
当該プログラムには、温度検出部６１により検出された温度データに応じて、ファン駆動部６０によりファンＦ１の回転速度を制御するファン制御プログラムなどが含まれている。
また、付属するデータには、温度検出部６１により検出された温度データから当該温度データに対応する温度値を引き当てるための温度変換テーブルなどが記憶されている。
【００４５】
操作部５７は、プロジェクタ１００の本体上面に設けられており、プロジェクタ１００を操作するための複数の操作用ボタン（図示せず）を備えている。複数の操作用ボタンには、プロジェクタ１００を起動およびシャットダウンするための「電源ボタン」や、各種操作メニューを表示させるための「メニューボタン」、投写画像の明るさを調整するための「調光ボタン」などが含まれている。
リモコン５８は、プロジェクタ１００を遠隔操作するためのリモコンであり、操作部５７と同様のプロジェクタ１００を操作するための複数の操作用ボタンを備えている。
操作受付け部５９は、操作部５７あるいはリモコン５８への操作がなされると、当該操作を受付け、制御部５３へ各種動作のトリガとなる操作信号を送る。
【００４６】
ファン駆動部６０は、制御部５３からの制御信号に従い、付属する軸流ファンであるファンＦ１を回転駆動する駆動回路である。なお、ファンは、軸流ファン１つに限定するものではなく、例えば、液晶ライトバルブ８８Ｒ，８８Ｇ，８８Ｂごとに集中的に風を吹き付けるシロッコファンをさらに備えていても良い。
温度検出部６１は、液晶ライトバルブ８８Ｒ，８８Ｇ，８８Ｂ近傍に取り付けられた温度センサとしてのサーミスタＴｈを含んで構成され、温度を検出し、温度データとして制御部５３へ送信する。なお、温度センサは、測温抵抗体や、水晶温度センサ、熱電変換素子であっても良い。
電源部６２は、外部電源３５１からの交流電力をインレットから導き、内蔵するＡＣ／ＤＣ変換部（いずれも図示せず）にて変圧、整流および平滑するなどの処理を施すことにより安定化させた直流電圧をプロジェクタ１００の各部に供給する。
【００４７】
《光学装置の構成》
図５は、本発明の光源装置の側断面図である。図６は、光源装置の正面図である。
ここでは、図５および図６を中心に適宜図１を交えながら本発明の特徴の一つである光源装置３０の光学系を含む構造体の詳細説明を行う。
図５において、マイクロ波発生部１２の高周波発振器１０、増幅部１１、および安全器１４（図１参照）は、回路部２１として一つに構成され、ホーンアンテナ２と隣接して設けられている。また、ホーンアンテナ２の内部には、高周波発振器１０が発振するマイクロ波の波長λのλ／４となる長さを持つロッドアンテナであるアンテナ２２が設けられている。また、アンテナ２２は、らせん状のヘリカルアンテナや、誘電率の大きなフィルム状の基材上に構成された平面アンテナであっても良い。これによれば、アンテナ２２をより小型に構成することができる。
ホーンアンテナ２は、マイクロ波を射出する開口部をランプ枠１６内に向けた状態で当該ランプ枠に固定されている。
【００４８】
ランプユニット１３は、発光体１、リフレクタ３、反射器４、ランプ枠１６などから構成されている。
発光体１は、石英ガラス、または透明サファイア、若しくは透光性セラミックなどの透明性および耐熱性のある無機ガラスにより中空の球状に形成されており、内部にはマイクロ波により励起されプラズマ発光する発光物質が充填されている。発光体１は、内径がφ５ｍｍ以下の電極のない無電極ランプである。なお、より好適にはφ１〜２ｍｍの内径であることが望ましい。これによれば、発光体１をより点光源に近づけることができる。
充填される発光物質は、例えばネオン、アルゴン、クリプトン、キセノン、ハロゲン等の希ガスが好ましい。これらのガスと共に水銀やナトリウム等の金属や金属化合物等を封入してもよい。また、発光物質は固体であっても良い。
【００４９】
また、発光体１は、棒状の支柱２５と一体に形成されており、当該支柱の他端は、お椀状をなしたリフレクタ３の内面２４の底部に挿入され、固定されている。
支柱２５は、発光体１と同様な可視光線を透過する無機ガラスにより構成されている。また、支柱２５の側面に、例えばアルミニウムなどを蒸着し、反射面とする構成であっても良い。
リフレクタ３は、透明な耐熱性の無機ガラスによりお椀状に構成されている。リフレクタ３の内面２４は、発光体１が放射する光を反射して開口方向（ｘ軸マイナス方向）に向かう光束とする放物線を含む曲面となっており、マイクロ波を透過し可視光線を反射する誘電体多層膜が設けられている。なお、内面２４は、放物面に限定するものではなく、楕円形状を含んだ曲面であっても良い。
また、リフレクタ３の開口部には、金属網２３が取り付けられている。
【００５０】
図６は、光源装置３０をｘ軸マイナス方向から観察した正面図である。
金属網２３は、一辺がマイクロ波の波長の１／１０以下の長さに設けられた複数の開口部を有している。例えば、マイクロ波の周波数が２．４５ＧＨｚである場合、波長は約１２ｃｍとなり、金属網２３の網目の一辺の長さを、１．２ｃｍ以下に設定する。
金属網２３は、亜鉛引き鉄線や、ステンレス線などを平織り加工、またはフラットトップ加工したものである。また、さらに黒亜鉛や、黒クロムメッキなどの反射防止加工を施すことが望ましい。
また、金属網２３は、金属性の網に限定するものではなく、金属成分によるメッシュ構造を含んでいれば良い。例えば、透明な耐熱フィルム上にメッシュ状の金属パターンを設けたフレキシブル基板であっても良い。
【００５１】
反射器４は、金属網２３と同様のメッシュ構造を有する金属網であり、リフレクタ３の内部にインサート成型されている。反射器４は、リフレクタ３の外側に設けられたホーンアンテナ２と、発光体１を介して相対する側に設けられている。
また、反射器４は、楕円形状を含む曲面により形成されており、発光体１を座標軸の原点としたときに、ｙ軸マイナス方向に突出するリフレクタ３の形状に略沿うように設けられている。また、図５における曲面の楕円形状における一方の焦点位置が略発光体１となるように設定されている。なお、曲面は、放物線を含んだ曲面形状であっても良い。
ランプ枠１６は、アルミニウムなどの金属により構成され、マイクロ波発生部１２を固定するとともに、リフレクタ３を支持する部材である。ランプ枠１６には、ｘ軸プラス方向にリフレクタ３底部の凸形状２７（図５）と勘合するための凹形状が設けられている。また、ｘ軸マイナス方向の端部には、リフレクタ３を固定するための固定ネジ２８が設けられている。
これらの構成により、ランプ枠１６と反射器４と金属網２３とにより構成されるエリアは、外周面が全てマイクロ波を反射する金属網、または金属壁により覆われることとなる。なお、ランプ枠１６の外面に、放熱用のフィンを設けても良い。これにより、発光体１が発する熱を効率良く逃がすことができる。
【００５２】
前述したような構成を持つ光源装置３０において、ホーンアンテナ２から射出されたマイクロ波の一部であるマイクロ波Ｍ１は、直接発光体１に照射される。発光体１の発光物質にマイクロ波が照射されると、発光物質が励起され放電によるプラズマ発光が起こる。
また、発光体１の形状は小さいため、ホーンアンテナ２から放射されたときには、発光体１から外れて進行したマイクロ波Ｍ２は、反射器４により反射され、発光体１に照射される。
また、図５において、ホーンアンテナ２から支柱２５方向へ射出されたマイクロ波Ｍ３は、支柱２５を透過し、反射器４により反射され、発光体１に照射される。
このように、ホーンアンテナ２から射出されたマイクロ波は、直接発光体１に照射されるか、または、反射器４により反射してから発光体１に照射され、プラズマ発光による光に変換される。そして発光体１から放射される光は、リフレクタ３の内面２４により反射および集光され、金属網２３からｘ軸マイナス方向に進行する光束として射出される。
【００５３】
《光学ユニットの概略構成》
図７は、光学ユニット近傍の概略構成を示す図である。
ここでは、光学ユニット５０の概略構成について説明する。
光学ユニット５０は、前述した光源装置３０と隣接して設けられ、インテグレータ照明光学系４１と、色分離光学系４２と、リレー光学系４３と、液晶ライトバルブ８８Ｒ，８８Ｇ，８８Ｂと、合成光学装置４４などから構成されている。
また、光学ユニット５０の各部は、光学部品用筐体４５に一体に収容され、ユニット化されている。
インテグレータ照明光学系４１は、光源装置３０から射出された光束を照明光軸Ｃｅに直交する面内における照度を均一にするための光学系である。このインテグレータ照明光学系４１は、第１レンズアレイ１１１、第２レンズアレイ１１２、偏光変換素子１１３、および重畳レンズ１１４を含んで構成されている。
【００５４】
第１レンズアレイ１１１は、照明光軸方向から見て略矩形形状の輪郭を有する小レンズがマトリクス状に配列された構成を有している。各小レンズは、光源装置３０から射出された光束を部分光束に分割し、照明光軸方向に射出する。
第２レンズアレイ１１２は、第１レンズアレイ１１１と略同様の構成であり、小レンズがマトリクス状に配列された構成を有する。この第２レンズアレイ１１２は、重畳レンズ１１４とともに、第１レンズアレイ１１１の各小レンズの像を液晶ライトバルブ８８Ｒ，８８Ｇ，８８Ｂに結像させる機能を有する。
偏光変換素子１１３は、発光体１から射出される二種類の偏光成分を主体とした光を、液晶ライトバルブ８８Ｒ，８８Ｇ，８８Ｂにて変調可能な、一種類の偏光光に変換する光学素子である。
具体的には、第２レンズアレイ１１２からの二種類の偏光成分を含んだ光は、偏光変換素子１１３により略一種類の偏光光に変換され、重畳レンズ１１４により、最終的には、液晶ライトバルブ８８Ｒ，８８Ｇ，８８Ｂ上にほぼ重畳される。
これにより、偏光変換素子１１３がなかった場合は熱として消費されてしまう全光束の約半分を占める一方の偏光光を、変調可能な偏光光に変換することにより、光の利用効率を高めている。
【００５５】
色分離光学系４２は、２枚のダイクロイックミラー１２１，１２２と、反射ミラー１２３とを備える。インテグレータ照明光学系４１から射出された複数の部分光束は、２枚のダイクロイックミラー１２１，１２２により赤（Ｒ），緑（Ｇ），青（Ｂ）の３色の色光に分離される。
ダイクロイックミラー１２１は、緑色光成分と青色光成分とを透過し、赤色光成分を反射する誘電体多層膜を備えた光学素子である。
ダイクロイックミラー１２１は、インテグレータ照明光学系４１から射出された光束のうち、緑色光成分と青色光成分とを透過し、赤色光成分を反射する。反射された赤色光は、反射ミラー１２３でさらに反射され、フィールドレンズ１１９を通って、赤色光用の液晶ライトバルブ８８Ｒに入射する。
ダイクロイックミラー１２２は、青色光成分を透過し、緑色光成分を反射する誘電体多層膜を備えた光学素子である。
ダイクロイックミラー１２２は、ダイクロイックミラー１２１を透過した青色光と緑色光のうち、緑色光を反射する。反射された緑色光は、フィールドレンズ１１９を通って、緑色光用の液晶ライトバルブ８８Ｇに入射する。
ダイクロイックミラー１２２を透過した青色光は、リレー光学系４３を通り、さらにフィールドレンズ１１９を通って、青色光用の液晶ライトバルブ８８Ｂに入射する。
【００５６】
リレー光学系４３は、入射側レンズ１３１と、一対のリレーレンズ１３３と、反射ミラー１３２，１３５とを備えている。このリレー光学系４３は、色分離光学系４２で分離された青色光を青色光用の液晶ライトバルブ８８Ｂまで導く機能を有している。
また、フィールドレンズ１１９は、第２レンズアレイ１１２から射出された各部分光束をその中心軸（主光線）に対して平行な光束に変換する。青色光および緑色光用の液晶ライトバルブ８８Ｇ，８８Ｂの光入射側に設けられたフィールドレンズ１１９も同様である。
なお、青色光にリレー光学系４３が用いられているのは、青色光の光路の長さが他の色光の光路の長さよりも長いため、光の発散等による光の利用効率の低下を防止するためである。すなわち、入射側レンズ１３１に入射した部分光束をそのまま、フィールドレンズ１１９に伝えるためである。なお、リレー光学系４３には、３つの色光のうちの青色光を通す構成としたが、これに限らず、例えば、ダイクロイックミラー１２１，１２２の機能を変えることにより、赤色光を通す構成としてもよい。
【００５７】
液晶ライトバルブ８８Ｒ，８８Ｇ，８８Ｂの入射側には、色分離光学系４２で分離された各色光が入射する入射偏光板８２が、また、射出側には、射出偏光板８３がそれぞれ設けられている。
入射偏光板８２、および射出偏光板８３は、色分離光学系４２で分離された各色光のうち、一定方向の偏光光のみ透過させ、その他の光束を吸収するものであり、サファイアガラス等の基板に偏光膜が貼付されたものである。
液晶ライトバルブ８８Ｒ，８８Ｇ，８８Ｂは、例えば、ポリシリコンＴＦＴ（Thin Film Transistor）をスイッチング素子として用いたものであり、対向配置される一対の透明基板内に液晶が密封封入されている。
透過型液晶パネルである液晶ライトバルブ８８Ｒ，８８Ｇ，８８Ｂは、入射偏光板８２を介して入射する各色光を、色光ごとの画像情報に応じて変調し、色光ごとの変調光として射出偏光板８３からそれぞれ射出する。
【００５８】
合成光学系４４は、クロスダイクロイックプリズムであり、射出偏光板８３から射出された、色光ごとの変調光を合成してフルカラー画像を表す変調光を射出する。
合成光学系４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
合成光学系４４によって合成された変調光は、投写レンズ５２により拡大され、スクリーンＳＣに画像を写し出す。
なお、液晶ライトバルブ８８Ｒ，８８Ｇ，８８Ｂと、３つの射出偏光板８３と、合成光学系４４とは、一つのユニットとして一体に構成されている。
【００５９】
上述した通り、本実施形態によれば以下の効果が得られる。
（１）リフレクタ３は、マイクロ波を透過する無機ガラスにより構成されていることから、マイクロ波を導入するための専用の開口部を必要としない。また、リフレクタ３の内面２４には、マイクロ波を透過し可視光線を反射する誘電体多層膜が設けられていることから、発光体１が放射する光を無駄なく集光し光学ユニット５０側に射出する。
よって、光源装置３０は、光の利用効率が良い。
また、光源装置３０は、マイクロ波発生部１２が発生したマイクロ波を反射し発光体１に集束させる反射器４を備えていることから、マイクロ波を効率良く発光体１に集束させる。よって、光源装置３０は、マイクロ波をエネルギー効率良く光に変換する。
さらに反射器４は、リフレクタ３の内部に設けられていることから、マイクロ波を発光体１に照射するための構成と、発光体１が放射する光を集光するための光学系の構成とが、ランプユニット１３として一体に構成されている。よって、光源装置３０は、コンパクトに構成されている。
従って、エネルギー効率良く発光し、光の利用効率が良いコンパクトな光源装置３０を提供することができる。
【００６０】
（２）マイクロ波発生部１２は、高周波発振器１０が発振したマイクロ波を、増幅部１１で増幅し、ホーンアンテナ２から略平面波として射出する。
よって、大型の電源回路を必要としない高周波発振器１０、増幅部１１、ホーンアンテナ２というコンパクトな構成により、マイクロ波を発生させることができる。さらに、指向性の良いホーンアンテナ２により、マイクロ波を確実に発光体１へ照射することができる。
従って、エネルギー効率良く発光するコンパクトな光源装置３０を提供することができる。
【００６１】
（３）反射器４は、リフレクタ３の外側に設けられたホーンアンテナ２と、発光体１を介して相対する側に設けられていることから、ホーンアンテナ２から射出される略平面波のマイクロ波は、発光体１を照射した後、反射器４で反射および集束されて、再度発光体１に照射される。
よって、１回のマイクロ波の射出により、往復２方向（２回）の照射がなされることから、マイクロ波のエネルギーを効率良く光に変換することができる。
従って、エネルギー効率良く発光する光源装置３０を提供することができる。
【００６２】
（４）高周波発振器１０は、ダイヤモンドＳＡＷ共振子を備えたダイヤモンドＳＡＷ発振器であることから、電力を印加すれば直ぐにマイクロ波を発生し、素早く発光体１を点灯させることができる。さらに小型に構成できるとともに、優れた耐電力特性、および温度変化に対する周波数変動が少ないという特徴を有している。
また、高周波発振器１０が出力するマイクロ波は、所期の周波数を中心とした先鋭な特性のマイクロ波であり、マイクロ波電力を増減しても周波数特性は変化しない特性を有している。
よって、光源装置３０は、マイクロ波をエネルギー効率良く光に変換することができる。
従って、エネルギー効率良く、素早く発光する光源装置３０を提供することができる。
【００６３】
（５）マイクロ波発生部１２には、反射マイクロ波を遮断するための増幅部１１の後段に設けられた安全器１４がさらに含まれることから、反射マイクロ波が増幅部１１に達することを防止することができる。
よって、増幅部１１およびその前段の高周波発振器１０を反射マイクロ波から守ることができる。
従って、動作が安定した光源装置３０を提供することができる。
【００６４】
（６）発光体１の内径は、φ５ｍｍ以下であることから、放射する光を効率的に扱うことが可能な点光源として、発光体１を見なすことができる。
よって、光の利用効率を高めるリフレクタなどの光学系をシンプルかつ小型に構成することができる。
また、発光体１の原料は、光透過性および耐熱性に優れた特性を持つ石英ガラス、または透明サファイア、若しくは透光性セラミックのいずれかであることから、発光体１は、プラズマ発光により発光物質が発する光を効率良く放射する。
従って、光の利用効率が良い光源装置を提供することができる。
【００６５】
（７）発光体１の支柱２５は、可視光線を透過する材質により構成されるか、または当該支柱の側面が反射面となっている。
よって、発光体１から放射された光のうち、支柱２５に向かった光は、当該支柱を透過するか、または当該支柱の反射面により反射された後、リフレクタ３の内面２４により反射され、集光される。
よって、発光体１が発する光を無駄なく利用することができる。
従って、光の利用効率が良い光源装置３０を提供することができる。
【００６６】
（８）反射器４は、一辺がマイクロ波における波長の１／１０以下の長さに設けられた複数の網目状の開口部を有し、楕円または放物線からなる曲面形状を含んで構成されていることから、金属により構成された反射器４は、マイクロ波の波長よりも十分に短いメッシュにより確実にマイクロ波を反射するとともに、曲面形状による集束作用により、マイクロ波を発光体１に集束させる。
よって、マイクロ波を効率良く発光体１に照射することができる。
従って、エネルギー効率良く発光する光源装置３０を提供することができる。
【００６７】
（９）リフレクタ３の開口部には金属網２３が設けられ、当該リフレクタにおける反射器４の反対側の面にはマイクロ波を反射するアルミニウムにより構成されたランプ枠１６が設けられていることから、マイクロ波は、ランプ枠１６と反射器４と金属網２３とにより構成されたエリア内で閉塞される。
よって、光源装置３０は、マイクロ波を外部に漏らすことなく、エネルギー効率良く発光する。さらにマイクロ波が漏れないことから、ＩＳＭ帯で使用されているBluetooth（登録商標）、ZigBee（登録商標）、Home RF、WLAN等の無線通信機器や医療機器などに対する悪影響を抑制することができる。
従って、外部電子機器に影響を与えず、エネルギー効率の良い光源装置３０を提供することができる。
【００６８】
（１０）プロジェクタ１００は、エネルギー効率良く発光し光の利用効率が良い光源装置３０と、光変調素子としての液晶ライトバルブ８８Ｒ，８８Ｇ，８８Ｂを含む光学ユニット５０と、投写レンズ５２とを備えていることから、光を効率良く利用し、明るい画像を投写する。
また、光学ユニット５０は、放電式ランプを用いた従来の携帯用プロジェクタにおけるコンパクトで高効率な光学系の構成を略そのまま用いることができる。よって、新たな光学系のための設備投資が不要になるばかりでなく、量産効果によりコストが抑えられた部品を用いたコストパフォーマンスの高い携帯用のプロジェクタを提供することができる。
従って、光の利用効率が良く、明るい画像を投写するプロジェクタ１００を提供することができる。
【００６９】
なお、本発明は上述した実施形態に限定されず、上述した実施形態に種々の変更や改良などを加えることが可能である。変形例を以下に述べる。
【００７０】
（変形例１）
図１を用いて説明する。前記実施形態において、光源装置３０は、プロジェクタに備えられているが、これに限定するものではない。
小型でコンパクトな光源装置３０は、素早く確実に点灯するとともに、エネルギー効率良く発光し、光の利用効率が良いことから、航空、船舶、車輌等の照明機器や、屋内照明機器などへ好適に適用することができる。
【００７１】
（変形例２）
図７を用いて説明する。前記実施形態において、プロジェクタ１００は、光変調素子として３枚の液晶ライトバルブ８８Ｒ，８８Ｇ，８８Ｂを用いた液晶３板式の投写型プロジェクタとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。なお、例えば、ティルトミラーデバイスを用いる構成の場合、入射偏光板８２、射出偏光板８３、偏光変換素子１１３が不要となるなど、光学ユニットの構成は、使用する光変調素子に応じて、図７の構成とはそれぞれ異なったものとなる。
また、このような光変調素子と、スクリーンとを備えたプロジェクタであるリアプロジェクタであっても良い。
これらの構成であっても、前記各実施形態と同様な作用効果を得ることができる。
【図面の簡単な説明】
【００７２】
【図１】実施形態におけるプロジェクタの概略構成図。
【図２】高周波発振器の概略構成図。
【図３】（ａ）ダイヤモンドＳＡＷ共振子の概略平面図、（ｂ）ダイヤモンドＳＡＷ共振子の概略断面図。
【図４】高周波発振器の出力周波数特性の一例を示す図。
【図５】光源装置の側断面図。
【図６】光源装置の正面図。
【図７】光学装置近傍の概略構成図。
【図８】（ａ）従来の光源装置の概略構成図、（ｂ）異なる態様の従来の光源装置の概略構成図。
【図９】マグネトロンの出力周波数特性を示す図。
【符号の説明】
【００７３】
１…発光体、２…ホーンアンテナ、３…リフレクタ、４…反射器、７…弾性表面波共振子としてのダイヤモンドＳＡＷ共振子、１０…固体高周波発振器としての高周波発振器、１１…増幅部、１２…マイクロ波発生部、１３…ランプユニット、１４…安全器、１６…ランプ枠、２３…金属網、２４…リフレクタの内面、２５…支柱、３０…光源装置、５０…光学ユニット、５２…投写部としての投写レンズ、５３…制御部、８８Ｒ，８８Ｇ，８８Ｂ…光変調素子としての液晶ライトバルブ、１００…プロジェクタ、ＳＣ…スクリーン。
【図１】
2007193953.tif 000003
【図２】
2007193953.tif 000004
【図３】
2007193953.tif 000005
【図４】
2007193953.tif 000006
【図５】
2007193953.tif 000007
【図６】
2007193953.tif 000008
【図７】
2007193953.tif 000009
【図８】
2007193953.tif 000010
【図９】
2007193953.tif 000011